【手続補正書】
【提出日】平成26年12月3日(2014.12.3)
【手続補正１】
【補正対象書類名】明細書
【補正対象項目名】０００９
【補正方法】変更
【補正の内容】
【０００９】
上記目的を達成するために、本発明の撮像素子は、第１の方向に第１の分割数に分割され、前記第１の方向と垂直な第２の方向に第２の分割数に分割された光電変換部をそれぞれが有する、複数の第１画素と、前記第１の方向に第３の分割数に分割され、前記第２の方向に第４の分割数に分割された光電変換部をそれぞれが有する、複数の第２画素とをそれぞれが備えた、複数の撮像画素群を含み、前記第１画素及び前記第２画素を構成する複数の前記光電変換部は、撮像光学系からの光束のうち分割された光束により形成された複数の像を光電変換して位相差の検出に用いられる焦点検出信号を出力する機能を備えており、前記第１の分割数と前記第３の分割数が互いに素の自然数であり、前記第２の分割数と前記第４の分割数が互いに素の自然数であることを特徴とする。
【手続補正２】
【補正対象書類名】明細書
【補正対象項目名】００１５
【補正方法】変更
【補正の内容】
【００１５】
１１１はズームアクチュエータで、不図示のカム筒を回動することで、第１レンズ群１０１ないし第３レンズ群１０５を光軸方向に進退駆動し、変倍操作を行う。１１２は絞りシャッタアクチュエータで、絞り兼用シャッタ１０２の開口径を制御して撮影光量を調節すると共に、静止画撮影時の露光時間制御を行う。１１４はフォーカスアクチュエータで、第３レンズ群１０５を光軸方向に進退駆動して焦点調節を行う。
【手続補正３】
【補正対象書類名】特許請求の範囲
【補正対象項目名】全文
【補正方法】変更
【補正の内容】
【特許請求の範囲】
【請求項１】
第１の方向に第１の分割数に分割され、前記第１の方向と垂直な第２の方向に第２の分割数に分割された光電変換部をそれぞれが有する、複数の第１画素と、前記第１の方向に第３の分割数に分割され、前記第２の方向に第４の分割数に分割された光電変換部をそれぞれが有する、複数の第２画素とをそれぞれが備えた、複数の撮像画素群を含み、
前記第１画素及び前記第２画素を構成する複数の前記光電変換部は、撮像光学系からの光束のうち分割された光束により形成された複数の像を光電変換して位相差の検出に用いられる焦点検出信号を出力する機能を備えており、
前記第１の分割数と前記第３の分割数が互いに素の自然数であり、前記第２の分割数と前記第４の分割数が互いに素の自然数であることを特徴とする撮像素子。
【請求項２】
前記第１から第４の分割数は、２以上の自然数であることを特徴とする請求項１に記載の撮像素子。
【請求項３】
前記第１の分割数と前記第２の分割数は互いに異なると共に、前記第３の分割数と前記第４の分割数は互いに異なり、前記第１の分割数と前記第２の分割数の積と、前記第３の分割数と前記第４の分割数の積とが等しいことを特徴とする請求項１に記載の撮像素子。
【請求項４】
前記第１の分割数と前記第４の分割数とが等しく、前記第２の分割数と前記第３の分割数とが等しいことを特徴とする請求項１または３に記載の撮像素子。
【請求項５】
前記第１の分割数と前記第２の分割数の差、及び、前記第３の分割数と前記第４の分割数の差が１であることを特徴とする請求項１、３、４のいずれか１項に記載の撮像素子。
【請求項６】
前記第１の分割数と前記第２の分割数とが等しく、前記第３の分割数と前記第４の分割数とが等しいことを特徴とする請求項１または２に記載の撮像素子。
【請求項７】
前記複数の第１画素と前記複数の第２画素は、各々カラーフィルタにより覆われ、同色の前記カラーフィルタにより覆われた前記第１画素と前記第２画素は、前記第１及び第２の方向について接しないことを特徴とする請求項１乃至６のいずれか１項に記載の撮像素子。
【請求項８】
前記分割された光電変換部は、隣接する光電変換部のカラーフィルタが異なる色となるように、それぞれがカラーフィルタにより覆われていることを特徴とする請求項１乃至６のいずれか１項に記載の撮像素子。
【請求項９】
各々が複数の異なる分割パターンのいずれかにより分割された光電変換部を有する、複数の画素をそれぞれが備えた、複数の撮像画素群を含み、
同じ分割パターンにより分割された前記光電変換部を有する前記画素が隣接しないように、前記複数の画素を配置したことを特徴とする撮像素子。
【請求項１０】
前記複数の画素はそれぞれカラーフィルタにより覆われ、同色のカラーフィルタにより覆われた画素が第１の方向及び前記第１の方向と垂直な第２の方向について接しないように配置すると共に、各画素の前記光電変換部の分割パターンが、同色のカラーフィルタにより覆われた近接する画素の前記光電変換部の分割パターンと互いに異なるように配置したことを特徴とする請求項９に記載の撮像素子。
【請求項１１】
各々が分離帯により複数に分割された光電変換部を有する、複数の画素をそれぞれが備えた、複数の撮像画素群を含み、
前記複数の光電変換部は、撮像光学系からの光束のうち分割された光束により形成された複数の像を光電変換して位相差の検出に用いられる焦点検出信号を出力する機能を備えており、
前記複数の撮像画素群の各々を構成する前記複数の画素は、前記分離帯により複数の異なる分割パターンに分割された光電変換部を有することを特徴とする撮像素子。
【請求項１２】
各々が分離帯により第１の方向及び前記第１の方向と垂直な第２の方向の少なくともいずれかの方向に複数に分割された光電変換部を有する、複数の画素をそれぞれが備えた、複数の撮像画素群を含み、
前記複数の光電変換部は、撮像光学系からの光束のうち分割された光束により形成された複数の像を光電変換して位相差の検出に用いられる焦点検出信号を出力する機能を備えており、
前記複数の撮像画素群のうち前記第１の方向及び前記第２の方向に隣接する各撮像画素群を構成する複数の画素は、前記分離帯により、互いに異なる複数の分割パターンに分割された光電変換部を有することを特徴とする撮像素子。
【請求項１３】
前記複数の撮像画素群の各々に含まれる前記複数の画素の各々はカラーフィルタにより覆われており、前記第１の方向及び前記第２の方向に隣接する各撮像画素群を構成する同色のカラーフィルタにより覆われた画素は、前記分離帯により、互いに異なる複数の分割パターンに分割された光電変換部を有することを特徴とする請求項１２に記載の撮像素子。
【請求項１４】
前記複数の撮像画素群の各々に含まれる各画素を構成する光電変換部の分割数は同じであることを特徴とする請求項１１乃至１３のいずれか１項に記載の撮像素子。
【請求項１５】
前記複数の撮像画素群は、第１撮像画素群及び第２撮像画素群を含み、
前記第１撮像画素群及び前記第２撮像画素群の各々は、分離帯により第１の方向に複数に分割された光電変換部を各々が有する複数の画素を備え、
前記第１撮像画素群を構成する第１画素の画素内に配置された分離帯と、前記第２の方向に前記第１画素と隣接する前記第２撮像画素群を構成する第２画素の画素内に配置された分離帯は、前記第１の方向にずれていることを特徴とする請求項１４に記載の撮像素子。
【請求項１６】
前記複数の撮像画素群は、第１撮像画素群、第２撮像画素群、及び第３撮像画素群を有しており、
前記第１撮像画素群、前記第２撮像画素群、及び前記第３撮像画素群の各々は、分離帯により前記第１の方向及び前記第２の方向に複数に分割された光電変換部を各々が有する複数の画素を備え、
前記第１撮像画素群を構成する第１画素の画素内に配置された前記光電変換部を前記第１の方向に分割する分離帯と、前記第２の方向に前記第１画素と隣接する前記第２撮像画素群を構成する第２画素の画素内に配置された前記光電変換部を前記第１の方向に分割する分離帯は、前記第１の方向にずれており、
前記第１撮像画素群を構成する第１画素の画素内に配置された前記光電変換部を前記第２の方向に分割する分離帯と、前記第１の方向に前記第１画素と隣接する前記第３撮像画素群を構成する第３画素の画素内に配置された前記光電変換部を前記第２の方向に分割する分離帯は、前記第２の方向にずれていることを特徴とする請求項１４に記載の撮像素子。
【請求項１７】
請求項１乃至１６のいずれか１項に記載の撮像素子と、
前記焦点検出信号を用いた位相差検出方式による焦点調節を行う制御手段と
を備えたことを特徴とする撮像装置。
【手続補正４】
【補正対象書類名】図面
【補正対象項目名】図１
【補正方法】変更
【補正の内容】
【図１】
2012235444.tif 000001